(57)【要約】  ジカウイルスＮＳ１タンパク質の２６０−３５２番目のアミノ酸配列からなるペプチド断片に結合するモノクローナル抗体及び１−１７６番目のアミノ酸配列からなるペプチド断片に結合するモノクローナル抗体を用いることにより、ジカウイルスを特異的かつ簡便・迅速に、高感度で検出し得ることを見出した。【特許請求の範囲】
【請求項１】
試料中のジカウイルスを検出する方法であって、
試料中に含まれるジカウイルスＮＳ１タンパク質を、ジカウイルスＮＳ１タンパク質に対するモノクローナル抗体又はその組み合わせを用いたイムノアッセイにより検出する工程を含み、
前記モノクローナル抗体が、（ａ）又は（ｂ）の特徴を有するモノクローナル抗体である方法。
（ａ）配列番号１の２６０−３５２番目のアミノ酸配列からなるペプチド断片に結合する、
（ｂ）配列番号１の１−１７６番目のアミノ酸配列からなるペプチド断片に結合する。
【請求項２】
ジカウイルス感染症の診断を補助する方法であって、
ヒトから採取された検体に含まれるジカウイルスＮＳ１タンパク質を、ジカウイルスＮＳ１タンパク質に対するモノクローナル抗体又はその組み合わせを用いたイムノアッセイにより検出する工程を含み、
前記モノクローナル抗体が、（ａ）又は（ｂ）の特徴を有するモノクローナル抗体である、方法。
（ａ）配列番号１の２６０−３５２番目のアミノ酸配列からなるペプチド断片に結合する、
（ｂ）配列番号１の１−１７６番目のアミノ酸配列からなるペプチド断片に結合する。
【請求項３】
前記イムノアッセイが、抗原捕捉用抗体と検出用抗体とを用いたサンドイッチイムノアッセイであり、前記抗原捕捉用抗体及び前記検出用抗体の少なくとも一方が、（ａ）又は（ｂ）の特徴を有するモノクローナル抗体である、請求項１又は２に記載の方法。
【請求項４】
前記抗原捕捉用抗体と前記検出用抗体とが、（ａ）の特徴を有する互いに異なるモノクローナル抗体同士の組み合わせである、請求項３に記載の方法。
【請求項５】
前記抗原捕捉用抗体と前記検出用抗体とが、（ａ）の特徴を有するモノクローナル抗体と（ｂ）の特徴を有するモノクローナル抗体の組み合わせである、請求項３に記載の方法。
【請求項６】
（ａ）の特徴を有するモノクローナル抗体が、さらに、２６０−３１０番目のアミノ酸配列からなるペプチド断片と３００−３５２番目のアミノ酸配列からなるペプチド断片には結合しないという特徴を有する、請求項１から５のうちのいずれか一項に記載の方法。
【請求項７】
（ａ）の特徴を有するモノクローナル抗体が、２８０−３５２番目のアミノ酸配列からなるペプチド断片に結合し、かつ２６０−３１０番目のアミノ酸配列からなるペプチド断片と３００−３５２番目のアミノ酸配列からなるペプチド断片には結合しないという特徴を有する、請求項６に記載の方法。
【請求項８】
（ｂ）の特徴を有するモノクローナル抗体が、さらに、配列番号１の８３−１４１番目のアミノ酸配列からなるペプチド断片及び８９−２６４番目のアミノ酸配列からなるペプチド断片に結合するという特徴を有する、請求項１から３、及び５のうちのいずれか一項に記載の方法。
【請求項９】
請求項１から８のうちのいずれか一項に記載の方法に用いるためのキットであって、
ジカウイルスＮＳ１タンパク質に対するモノクローナル抗体又はその組み合わせを含み、
前記モノクローナル抗体が、（ａ）又は（ｂ）の特徴を有するモノクローナル抗体であるキット。
（ａ）配列番号１の２６０−３５２番目のアミノ酸配列からなるペプチド断片に結合する、
（ｂ）配列番号１の１−１７６番目のアミノ酸配列からなるペプチド断片に結合する。
【発明の詳細な説明】
【技術分野】
【０００１】
本発明は、ジカウイルスＮＳ１タンパク質に特異的な抗体を利用したジカウイルスの免疫学的検出法、及び、当該免疫学的検出を利用してジカウイルス感染症の診断を補助する方法に関する。また、本発明は、これら方法に用いられるキットに関する。
【背景技術】
【０００２】
ジカウイルスはフラビウイルス科に属する１本鎖ＲＮＡの球形ウイルスであり、２つの遺伝子型（アフリカ型とアジア型）が存在する。ヒトは、ネッタイシマカやヒトスジシマカといった媒介蚊に刺されることにより感染する。臨床的特徴は、２〜１２日間の潜伏期の後に、全身の不快感、倦怠感といった前駆的症状にはじまり、突然の発熱、頭痛、全身の筋肉痛などが出現する。時にギランバレー症候群を引き起こす可能性や、妊婦への感染では小頭症児の発生が指摘されている。このため、ジカウイルスの流行地域からの入国者や帰国者については、本症の感染の疑いがある場合には、ジカウイルス感染の診断を行う必要がある。【０００３】
ジカウイルスの診断においては、遺伝子増幅法（ＲＴ−ＰＣＲ）によるウイルス遺伝子の検査やウイルスの分離が行われているが、前者は、特別な設備が必要であり、後者は、多くの時間と手間を要する。【０００４】
一方、血清中の抗体（ＩｇＭやＩｇＧ）を検出する血清学的検査も行われているが、フラビウイルス科に属する他のウイルスとの交差反応性（偽陽性）の問題が指摘されている。最近になり、ジカウイルスＮＳ１タンパク質を利用することで、交差反応性の問題を低減させることが可能であることが報告された（非特許文献１）。【０００５】
しかしながら、血清学的検査は、直接ジカウイルスを検出するものではなく、例えば、ジカウイルスに対する抗体が生じていない感染初期には適用できないという本質的問題を避けることができない。【０００６】
なお、ジカウイルスと同じフラビウイルス科に属するデング熱ウイルスについては、そのＮＳ１タンパク質に対する抗体を利用した検出法が報告されている（特許文献１）。
【先行技術文献】
【特許文献】
【０００７】
【特許文献１】特表２００３−５０１６６１号公報
【非特許文献】
【０００８】
【非特許文献１】Ｓｔｅｉｎｈａｇｅｎ  Ｋ  ｅｔ  ａｌ．  Ｅｕｒｏ  Ｓｕｒｖｅｉｌｌ．  ２０１６；２１（５０）：ｐｉｉ＝３０４２６．
【発明の概要】
【発明が解決しようとする課題】
【０００９】
本発明は、このような状況に鑑みてなされたものであり、その目的は、ジカウイルスを特異的かつ簡便・迅速に、高感度で検出し得る免疫学的手法を提供することにある。また、本発明は、アジア株かアフリカ株かを問わず、広範にジカウイルスを検出し得る免疫学的手法を提供することをも目的とする。さらなる本発明の目的は、これら免疫学的手法に用いられるキットを提供することにある。
【課題を解決するための手段】
【００１０】
本発明者らは、前記課題を解決すべく鋭意検討を行った。まず、組換えジカウイルスＮＳ１タンパク質を免疫原として多くのハイブリドーマを作製し、その中から、当該ジカウイルスＮＳ１タンパク質に対して高い反応性を示すモノクローナル抗体を産生するハイブリドーマを選抜し、４つのハイブリドーマを取得することに成功した。【００１１】
次いで、取得したハイブリドーマが産生するモノクローナル抗体のエピトープ解析を行ったところ、３つのモノクローナル抗体が、共通して、ジカウイルスＮＳ１タンパク質の２６０−３５２番目のアミノ酸配列からなるペプチド断片に結合することを見出した。そのうち、２つのモノクローナル抗体は、さらに共通して、２８０−３５２番目のアミノ酸配列からなるペプチド断片に結合することを見出した。これらモノクローナル抗体は、２６０−３１０番目のアミノ酸配列からなるペプチド断片、３００−３５２番目のアミノ酸配列からなるペプチド断片には反応しないことから、いずれもコンフォメーションエピトープを認識する抗体であることが推察された。一方、他の一つのモノクローナル抗体は、ジカウイルスＮＳ１タンパク質の１−１７６番目のアミノ酸配列からなるペプチド断片に結合した。【００１２】
これらモノクローナル抗体を用いて、サンドイッチＥＬＩＳＡ法及びイムノクロマトグラフィーによりジカウイルスＮＳ１タンパク質の検出を行ったところ、いずれの手法によっても、高感度でジカウイルスを検出し得る結果を得た。特に、異なるモノクローナル抗体の組み合わせを用いた場合には、広範なジカウイルスに対して高感度での検出が認められた。さらに、２８０−３５２番目のアミノ酸配列からなるペプチド断片に結合する２つの異なるモノクローナル抗体を組合せた場合に、広範なジカウイルスに対する感度がより高くなることが認められた。【００１３】
以上から、本発明者らは、ジカウイルスＮＳ１タンパク質の上記部位を認識する抗体を利用すれば、ジカウイルスの検出やジカウイルスによる感染症の診断の補助を効率的に行うことが可能であることを見出し、本発明を完成するに至った。【００１４】
すなわち、本発明は、ジカウイルスに特異的な抗体を利用した、ジカウイルスの免疫学的検出法、当該免疫学的検出を利用してジカウイルス感染症の診断を補助する方法、及び、これら方法に用いられるキットに関し、より詳しくは、以下を提供するものである。【００１５】
［１］試料中のジカウイルスを検出する方法であって、
試料中に含まれるジカウイルスを、ジカウイルスＮＳ１タンパク質に対するモノクローナル抗体又はその組み合わせを用いたイムノアッセイにより検出する工程を含み、
前記モノクローナル抗体が、（ａ）又は（ｂ）の特徴を有するモノクローナル抗体である方法。【００１６】
（ａ）配列番号１の２６０−３５２番目のアミノ酸配列からなるペプチド断片に結合する、
（ｂ）配列番号１の１−１７６番目のアミノ酸配列からなるペプチド断片に結合する。【００１７】
［２］ジカウイルス感染症の診断を補助する方法であって、
ヒトから採取された検体に含まれるジカウイルスを、ジカウイルスＮＳ１タンパク質に対するモノクローナル抗体又はその組み合わせを用いたイムノアッセイにより検出する工程を含み、
前記モノクローナル抗体が、（ａ）又は（ｂ）の特徴を有するモノクローナル抗体である、方法。【００１８】
（ａ）配列番号１の２６０−３５２番目のアミノ酸配列からなるペプチド断片に結合する、
（ｂ）配列番号１の１−１７６番目のアミノ酸配列からなるペプチド断片に結合する。【００１９】
［３］前記イムノアッセイが、抗原捕捉用抗体と検出用抗体とを用いたサンドイッチイムノアッセイであり、前記抗原捕捉用抗体及び前記検出用抗体の少なくとも一方が、（ａ）又は（ｂ）の特徴を有するモノクローナル抗体である、［１］又は［２］に記載の方法。【００２０】
［４］前記抗原捕捉用抗体と前記検出用抗体とが、（ａ）の特徴を有する互いに異なるモノクローナル抗体同士の組み合わせである、［３］に記載の方法。【００２１】
［５］前記抗原捕捉用抗体と前記検出用抗体とが、（ａ）の特徴を有するモノクローナル抗体と（ｂ）の特徴を有するモノクローナル抗体の組み合わせである、［３］に記載の方法。【００２２】
［６］（ａ）の特徴を有するモノクローナル抗体が、さらに、２６０−３１０番目のアミノ酸配列からなるペプチド断片と３００−３５２番目のアミノ酸配列からなるペプチド断片には結合しないという特徴を有する、［１］から［５］のうちのいずれかに記載の方法。【００２３】
［７］（ａ）の特徴を有するモノクローナル抗体が、２８０−３５２番目のアミノ酸配列からなるペプチド断片に結合し、かつ２６０−３１０番目のアミノ酸配列からなるペプチド断片と３００−３５２番目のアミノ酸配列からなるペプチド断片には結合しないという特徴を有する、［６］に記載の方法。【００２４】
［８］（ｂ）の特徴を有するモノクローナル抗体が、さらに、配列番号１の８３−１４１番目のアミノ酸配列からなるペプチド断片及び８９−２６４番目のアミノ酸配列からなるペプチド断片に結合するという特徴を有する、［１］から［３］、及び［５］のうちのいずれかに記載の方法。【００２５】
［９］［１］から［８］のうちのいずれかに記載の方法に用いるためのキットであって、
ジカウイルスＮＳ１タンパク質に対するモノクローナル抗体又はその組み合わせを含み、
前記モノクローナル抗体が、（ａ）又は（ｂ）の特徴を有するモノクローナル抗体であるキット。【００２６】
（ａ）配列番号１の２６０−３５２番目のアミノ酸配列からなるペプチド断片に結合する、
（ｂ）配列番号１の１−１７６番目のアミノ酸配列からなるペプチド断片に結合する。
【発明の効果】
【００２７】
遺伝子増幅法を利用した従来のジカウイルスの検出法では、特別な設備を要するが、本発明の方法によれば、手軽に短時間で試料中のジカウイルスを検出することが可能である。また、試料中の抗ジカウイルス抗体（ＩｇＭ、ＩｇＧ）を検出する従来の血清学的手法では、同じフラビウイルス科に属するデングウイルスなどとの交差反応性（偽陽性）が問題となっていたが、本発明の方法に用いられるモノクローナル抗体には、デングウイルスへの反応性はない。さらに、血清学的手法は、直接ジカウイルスの存在を検出するものではなく、例えば、抗体の産生されていない感染初期の患者の診断には不向きであるが、本発明の方法は、ジカウイルスの存在を直接検出し得るため、このような問題もない。さらに、本発明の好ましい態様においては、ジカウイルスのアジア株とアフリカ株との双方を高感度で検出することができる。従って、本発明によれば、特異的かつ簡便・迅速に、高感度で、試料中のジカウイルスを検出することが可能である。
【図面の簡単な説明】
【００２８】
【図１】実施例で作製した、免疫測定器具（イムノクロマト器具）の主要部の模式断面図である。
【図２】実施例で作製した、免疫測定器具（イムノクロマト器具）の模式平面図である。
【図３】実施例で作製した、免疫測定器具（イムノクロマト器具）の模式断面図である。
【発明を実施するための形態】
【００２９】
本発明は、試料中のジカウイルスを検出する方法、及びジカウイルス感染症の診断を補助する方法を提供する。
【００３０】
本発明の方法は、試料中に含まれるジカウイルスを、ジカウイルスＮＳ１タンパク質に対するモノクローナル抗体又はその組み合わせを用いたイムノアッセイにより検出する工程を含む。
【００３１】
本発明において「ジカウイルス」とは、フラビウイルス科に属する＋鎖のＲＮＡウイルスの１種であり、ジカウイルス感染症（ジカ熱）の原因となるウイルスを意味する。
【００３２】
本発明に用いられる「試料」としては、ジカウイルスが存在し得る試料である限り特に制限はない。ジカウイルス感染症の診断の補助を目的とする場合においては、一般的には、診断対象（好ましくはヒト）から採取された血液検体又は尿が用いられる。血液検体は、好ましくは血清又は血漿である。
【００３３】
本発明において「ＮＳ１タンパク質」とは、ジカウイルスの非構造タンパク質の１つであり、典型的には、配列番号１に記載のアミノ酸配列を有するものである。
【００３４】
本発明の方法に用いられる「モノクローナル抗体」は、以下の（ａ）又は（ｂ）の特徴を有するもの（以下、「本発明のモノクローナル抗体」と称する）であり、ジカウイルスと同じフラビウイルス科に属するデングウイルスには反応しないため高い特異性を有する。
【００３５】
（ａ）配列番号１の２６０−３５２番目のアミノ酸配列からなるペプチド断片に結合する（以下、「特徴（ａ）モノクローナル抗体」と称する）。
【００３６】
（ｂ）配列番号１の１−１７６番目のアミノ酸配列からなるペプチド断片に結合する（以下、「特徴（ｂ）モノクローナル抗体」と称する）。
【００３７】
本発明の「モノクローナル抗体」は、完全な抗体のみならず、抗体断片であってもよい。抗体断片としては、例えば、Ｆ（ａｂ’）２、Ｆａｂ’、Ｆａｂ、Ｆｖ、単鎖抗体、ダイアボディーなどが挙げられる
本発明の「特徴（ａ）モノクローナル抗体」の好ましい態様は、さらに、２６０−３１０番目のアミノ酸配列からなるペプチド断片と３００−３５２番目のアミノ酸配列からなるペプチド断片には結合しないという特徴を有する（以下、場合により「特徴（ａ１）モノクローナル抗体」と称する）。このような特徴（ａ１）モノクローナル抗体としては、本実施例に記載の抗体Ａ、Ｃ、及びＤが挙げられる（表１）。さらに、本発明の「特徴（ａ１）モノクローナル抗体」のより好ましい態様は、２８０−３５２番目のアミノ酸配列からなるペプチド断片に結合し、かつ、２６０−３１０番目のアミノ酸配列からなるペプチド断片と３００−３５２番目のアミノ酸配列からなるペプチド断片には結合しないという特徴を有する（以下、場合により「特徴（ａ２）モノクローナル抗体」と称する）。このような特徴（ａ２）モノクローナル抗体としては、本実施例に記載の抗体Ｃ及びＤが挙げられる（表１）。その結合特性から、抗体Ａ、Ｃ及びＤに代表されるこれら抗体は、ジカウイルスＮＳ１タンパク質のコンフォメーションエピトープを認識する抗体であると考えられる。
【００３８】
本発明の「特徴（ｂ）モノクローナル抗体」の好ましい態様は、さらに、配列番号１の８３−１４１番目のアミノ酸配列からなるペプチド断片及び８９−２６４番目のアミノ酸配列からなるペプチド断片に結合するという特徴を有する。このようなモノクローナル抗体としては、本実施例に記載の抗体Ｂが挙げられる（表１）。
【００３９】
本発明のモノクローナル抗体の作製においては、例えば、本実施例に記載のように、まず、組換えジカウイルスＮＳ１タンパク質を免疫原として多くのハイブリドーマを作製し、その中から、当該ジカウイルスＮＳ１タンパク質に対して高い反応性を示すモノクローナル抗体を産生するハイブリドーマを選抜し、さらに、選抜したハイブリドーマが産生するモノクローナル抗体のエピトープ解析を行って、上記特徴（ａ）又は（ｂ）を有するモノクローナル抗体を産生するクローンを同定すればよい。
【００４０】
ハイブリドーマ法としては、代表的には、ケーラー及びミルスタインの方法（Ｋｏｈｌｅｒ＆Ｍｉｌｓｔｅｉｎ，Ｎａｔｕｒｅ，２５６：４９５（１９７５））が挙げられる。この方法における細胞融合工程に使用される抗体産生細胞は、抗原（標的タンパク質、その部分ペプチド、又はこれらを発現する細胞など）で免疫された動物（例えば、マウス、ラット、ハムスター、ウサギ、サル、ヤギ、ヒツジ、ロバ、ラクダ、アルパカ、ニワトリ）の脾臓細胞、リンパ節細胞、末梢血白血球などである。免疫されていない動物から予め単離された上記の細胞又はリンパ球などに対して、抗原を培地中で作用させることによって得られた抗体産生細胞も使用することが可能である。ミエローマ細胞としては公知の種々の細胞株を使用することが可能である。抗体産生細胞及びミエローマ細胞は、それらが融合可能であれば、異なる動物種起源のものでもよいが、好ましくは、同一の動物種起源のものである。ハイブリドーマは、例えば、抗原で免疫されたマウスから得られた脾臓細胞と、マウスミエローマ細胞との間の細胞融合により産生され、その後のスクリーニングにより、抗原に特異的なモノクローナル抗体を産生するハイブリドーマを得ることができる。抗原に対するモノクローナル抗体は、ハイブリドーマを培養することにより、また、ハイブリドーマを投与した哺乳動物の腹水から、取得することができる。
【００４１】
また、本発明のモノクローナル抗体は、例えば、当該抗体をコードするＤＮＡが取得できれば、組換えＤＮＡ法によって作製することができる。この方法は、上記抗体をコードするＤＮＡをハイブリドーマやＢ細胞などからクローニングし、適当なベクターに組み込んで、これを宿主細胞（例えば哺乳類細胞株、大腸菌、酵母細胞、昆虫細胞、植物細胞など）に導入し、組換え抗体として産生させる手法である（例えば、Ｐ．Ｊ．Ｄｅｌｖｅｓ，Ａｎｔｉｂｏｄｙ  Ｐｒｏｄｕｃｔｉｏｎ：Ｅｓｓｅｎｔｉａｌ  Ｔｅｃｈｎｉｑｕｅｓ，１９９７  ＷＩＬＥＹ、Ｐ．Ｓｈｅｐｈｅｒｄ  ａｎｄ  Ｃ．Ｄｅａｎ  Ｍｏｎｏｃｌｏｎａｌ  Ａｎｔｉｂｏｄｉｅｓ，２０００  ＯＸＦＯＲＤ  ＵＮＩＶＥＲＳＩＴＹ  ＰＲＥＳＳ、Ｖａｎｄａｍｍｅ  Ａ．Ｍ．  ｅｔ  ａｌ．，Ｅｕｒ．Ｊ．Ｂｉｏｃｈｅｍ．１９２：７６７−７７５（１９９０））。抗体をコードするＤＮＡの発現においては、重鎖又は軽鎖をコードするＤＮＡを別々に発現ベクターに組み込んで宿主細胞を形質転換してもよく、重鎖及び軽鎖をコードするＤＮＡを単一の発現ベクターに組み込んで宿主細胞を形質転換してもよい（ＷＯ９４／１１５２３号公報参照）。組換え抗体は、上記宿主細胞を培養し、宿主細胞内又は培養液から分離・精製し、実質的に純粋で均一な形態で取得することができる。抗体の分離・精製は、通常のポリペプチドの精製で使用されている方法を使用することができる。トランスジェニック動物作製技術を用いて、抗体遺伝子が組み込まれたトランスジェニック動物（ウシ、ヤギ、ヒツジ又はブタなど）を作製すれば、そのトランスジェニック動物のミルクから、抗体遺伝子に由来するモノクローナル抗体を大量に取得することも可能である。
【００４２】
本発明の方法においては、本発明のモノクローナル抗体に標識物質を結合させて使用することができる。標識物質としては、抗体に結合させて検出できるものであれば特に制限はないが、例えば、アルカリホスファターゼ（ＡＬＰ）、ホースラディッシュペルオキシダーゼ（ＨＲＰ）、βガラクトシダーゼ（β−ｇａｌ）などの酵素、フルオレセインイソチオシアネート（ＦＩＴＣ）やローダミンイソチオシアネート（ＲＩＴＣ）などの蛍光色素、アロフィコシアニン（ＡＰＣ）やフィコエリスリン（Ｒ−ＰＥ）などの蛍光蛋白質、１２５Ｉなどの放射性同位元素、金粒子、アビジン、ビオチン、ラテックスなどが挙げられる。
【００４３】
標識物質として酵素を用いた場合には、基質として、発色基質、蛍光基質、あるいは化学発光基質などを添加することにより、基質に応じて種々の検出を行うことができる。
【００４４】
標識物質を結合させた本発明のモノクローナル抗体を用いてジカウイルスＮＳ１タンパク質を直接的に検出する方法以外に、本発明のモノクローナル抗体には標識物質を結合せず、標識物質が結合した二次抗体などを利用して間接的に検出する方法を利用することもできる。ここで「二次抗体」とは、本発明のモノクローナル抗体に対して反応性を示す抗体である。例えば、本発明のモノクローナル抗体をマウス抗体として調製した場合には、二次抗体として抗マウスＩｇＧ抗体を使用することができる。ウサギ、ヤギ、マウスなどの様々な生物種に由来する抗体に対して、使用可能な標識二次抗体が市販されており、本発明のモノクローナル抗体の由来する生物種に応じて、適切な二次抗体を選択して使用することができる。二次抗体に代えて、標識物質を結合させたプロテインＧやプロテインＡなどを用いることも可能である。
【００４５】
本発明のモノクローナル抗体と標識物質との結合には、ビオチン−アビジン系を利用することもできる。この方法においては、例えば、本発明のモノクローナル抗体をビオチン化し、これに、アビジン化した標識物質を作用させ、ビオチンとアビジンの相互作用を利用して、本発明のモノクローナル抗体に標識物質を結合させる。
【００４６】
本発明に用いるイムノアッセイ（免疫学的測定法）の検出原理としては、高感度な検出システムを構築することができる点で、サンドイッチ法が好適である。サンドイッチ法においては、固相化した捕捉用抗体で検出対象物質を捕捉し、それを標識物質が結合した検出用抗体に認識させ、洗浄後、標識物質の種類に応じた検出を行う。固相としては、例えば、プラスチックプレートなどのプレート、ニトロセルロースなどの繊維状物質、磁性粒子やラテックス粒子などの粒子を用いることができる。
【００４７】
捕捉用抗体は固相に直接固定してもよいが、間接的に固定してもよい。例えば、捕捉用抗体に結合する物質を固相に固定し、当該物質に捕捉用抗体を結合させることにより、補足用抗体を固相に間接的に固定することができる。捕捉用抗体に結合する物質としては、例えば、上記の二次抗体、プロテインＧ、プロテインＡなどが挙げられるが、これらに制限されない。また、捕捉用抗体がビオチン化されている場合には、アビジン化した固相を利用することができる。
【００４８】
サンドイッチ法においては、抗原捕捉用抗体及び検出用抗体の少なくとも一方に、本発明のモノクローナル抗体を用いる。他の一方の抗体は、ジカウイルスＮＳ１タンパク質に結合し得る限り、本発明のモノクローナル抗体以外の抗体を用いることができる。他の一方の抗体は、モノクローナル抗体であっても、ポリクローナル抗体であってもよい。
【００４９】
好ましい態様においては、抗原捕捉用抗体及び検出用抗体の双方が本発明のモノクローナル抗体であり、かつ、ジカウイルスＮＳ１タンパク質に同時に結合可能な（抗原捕捉用抗体と検出用抗体とで互いに異なる）２種の本発明のモノクローナル抗体である。これにより感度及び特異性に特に優れた検出系を構築することができる。このようなジカウイルスＮＳ１タンパク質に同時に結合可能な２種のモノクローナル抗体の組み合わせは、２種の「特徴（ａ）モノクローナル抗体」であっても、２種の「特徴（ｂ）モノクローナル抗体」であってもよく、「特徴（ａ）モノクローナル抗体」と「特徴（ｂ）モノクローナル抗体」との組み合わせであってもよい。
【００５０】
２種の「特徴（ａ）モノクローナル抗体」としては、例えば、本実施例に記載の抗体Ａ、Ｃ、及びＤから選択される２種のモノクローナル抗体が挙げられる。また、「特徴（ａ）モノクローナル抗体」と「特徴（ｂ）モノクローナル抗体」との組み合わせとしては、本実施例に記載の抗体Ａ、Ｃ、及びＤから選択されるモノクローナル抗体と抗体Ｂとの組み合わせが挙げられる。
【００５１】
また、抗原捕捉用抗体又は検出用抗体の一方に、２種以上の本発明のモノクローナル抗体を混合したものを用いてもよく、抗原捕捉用抗体及び検出用抗体の双方に、それぞれ、２種以上の本発明のモノクローナル抗体を混合したものを用いてもよい。これにより検出感度を向上させ得る。
【００５２】
これらの抗原捕捉用抗体と検出用抗体との組み合わせの中でも、ジカウイルスＮＳ１タンパク質の定量により好適であるという観点からは、抗原捕捉用抗体及び検出用抗体の双方が本発明のモノクローナル抗体であり、かつ、２種の「特徴（ａ）モノクローナル抗体」であるか、又は、「特徴（ａ）モノクローナル抗体」と「特徴（ｂ）モノクローナル抗体」との組み合わせ（より好ましくは「特徴（ａ２）モノクローナル抗体」と「特徴（ｂ）モノクローナル抗体」との組み合わせ）であることが好ましい。また、前記組み合わせが２種の「特徴（ａ）モノクローナル抗体」の組み合わせである場合には、互いに異なる２種の「特徴（ａ２）モノクローナル抗体」同士の組み合わせであることがさらに好ましい。
【００５３】
試料中のジカウイルスＮＳ１タンパク質を定量する場合には、ＥＬＩＳＡ、ＣＬＥＩＡ（化学発光酵素免疫測定法）等の、マイクロプレートのウェルやビーズ（自動化の観点から、より好ましくは磁性ビーズ）を固相とするサンドイッチ法が好ましい。得られた測定値からのジカウイルスＮＳ１タンパク質量の特定は、一般的に、標準検体による測定値との比較により行うことができる。この場合、例えば、標準検体による測定値に基づいて作成された標準曲線上のどの位置に、実際の測定値が位置づけられるかを調べることにより、試料中のジカウイルスＮＳ１タンパク質量を求めることができる。
【００５４】
一方、より簡便かつ迅速にジカウイルスを検出するには、イムノクロマトグラフィーが好適である。イムノクロマトグラフィーのデバイスの一態様について説明すると、当該デバイスは、ニトロセルロース膜のような多孔性素材からなるマトリックス上に、捕捉用抗体をライン状に固相化した検出ゾーンと、その上流側に、標識した検出用抗体を担持した標識試薬ゾーンを含む。通常、標識試薬ゾーンは、標識した検出用抗体を担持した多孔性のパッドにより構成される。マトリックスの上流端には、展開液を貯蔵した展開液槽が設けられている。さらに、通常、上記検出ゾーンの下流に、標識抗体の展開を確認するために抗標識抗体をライン状に固相化した展開確認部と、さらにその下流に、展開液を吸収するための多孔性の吸収パッドが設けられた展開液吸収ゾーンが設けられている。さらに、標識が酵素標識である場合には、標識試薬ゾーンよりも上流に、標識酵素の基質を担持した基質ゾーンが設けられる。
【００５５】
使用時には、検体を標識試薬ゾーンに添加し、押し込み部を加圧して突起部を移動させることにより、展開液パッドを展開液槽に挿入し、展開液パッドを通じて展開液をマトリックスに供給する。展開液が基質ゾーンを通過する際に基質が展開液中に溶出され、基質を含む展開液が流動する。展開液が標識試薬ゾーンを通過する際に、標識抗体と検体とが展開液中に溶出され、基質、標識抗体及び検体を含む展開液が流動する。検体中にジカウイルスが含まれる場合には、該ウイルスのＮＳ１タンパク質と標識抗体とが、抗原抗体反応により結合し、これらが検出ゾーンに到達すると、検出ゾーンにおいて、固相化抗体とジカウイルスＮＳ１タンパク質とが抗原抗体反応により結合する。その結果、ジカウイルスＮＳ１タンパク質を介して標識抗体が検出ゾーンに固定される。こうして検出ゾーンにおける標識を測定することにより、ジカウイルスが検出されることになる。検体中にジカウイルスが含まれていない場合には、標識抗体は検出ゾーンに固定されず、さらに下流に移動するため、検出ゾーンにおいて標識は検出されない。なお、検出ゾーンの下流の展開液確認部には、抗標識抗体が固相化されているため、標識抗体は展開液確認部に固定されることになる。よって、展開液確認部に標識が検出された場合、展開液が正しく展開されたことを意味する。展開液は、最終的に、その下流の吸収パッドに吸収される。
【００５６】
また、本発明は、上記本発明の方法に用いるためのキットを提供する。本発明のキットは、少なくとも本発明のモノクローナル抗体又はその組み合わせを含む。
【００５７】
サンドイッチ法を検出原理とする方法を利用する場合には、固相化した抗原捕捉用抗体と検出用抗体の少なくとも一方の抗体が、本発明のモノクローナル抗体である。さらに、標準検体試薬（各濃度）、対照試薬、試料の希釈液、希釈用カートリッジ、洗浄液などを組み合わせることができる。酵素標識を利用した場合には、標識の検出に必要な基質や反応停止液などを含めることができる。検出用抗体を標識しない場合には、例えば、当該検出用抗体に結合する物質を標識したものをキットに含めることができる。
【００５８】
サンドイッチ法として、イムノクロマトグラフィーを採用する場合には、抗原捕捉用抗体が検出ゾーンに固定化された膜担体と標識された検出用抗体を担持しているパッドとを備えたデバイスをキットに含めることができる。当該デバイスは、展開液パッドや吸収パッドなど、イムノクロマトグラフィーに適したその他の構成要素を備えることができる。
【００５９】
本発明のキットには、さらに、当該キットの使用説明書を含めることができる。
【実施例】
【００６０】
以下、実施例に基づいて本発明をより具体的に説明するが、本発明は以下の実施例に限定されるものではない。【００６１】
（実施例１）
［実施例１−１］抗ジカウイルスＮＳ１タンパク質モノクローナル抗体の作製
免疫原としては、組換えジカウイルス（アフリカ株）ＮＳ１タンパク質（＃ＺＩＫＶ−ＮＳ１、Ｔｈｅ  Ｎａｔｉｖｅ  Ａｎｔｉｇｅｎ  Ｃｏｍｐａｎｙ製）を１％ＳＤＳの存在下で９６℃１０分間加熱して変性させた、変性ジカウイルスＮＳ１タンパク質（以下、「変性抗原」とも称する）を使用した。変性抗原をマウスに免疫し（腹腔内投与、投与量１０μｇ／匹、免疫回数３〜５回）、常法のハイブリドーマ法により、免疫原に対する抗体を産生するハイブリドーマを作製した。【００６２】
［実施例１−２］抗体スクリーニング
抗体スクリーニングは、ＥＬＩＳＡを用いて実施した。前記の変性抗原をＰＢＳで希釈し、０．１〜０．２μｇ／ｍＬの溶液を調製した。これを９６穴マイクロウェルプレートに５０μＬずつ分注し、３７℃で１時間、又は４℃で一晩コーティングさせた。１％スキムミルク・ＰＢＳ、又は２％ＢＳＡ・ＰＢＳでブロッキングした後、１〜１０倍希釈したハイブリドーマ培養上清を各５０μＬ／ウェル分注し、３７℃で１時間反応させた。ＰＢＳＴで洗浄後、ＰＯＤ標識抗マウスＩｇＧ抗体を５０μＬ／ウェル分注し、３７℃で３０分〜１時間反応させた。ＰＢＳＴで洗浄後、ＴＭＢ基質系で発色を行い、マイクロプレートリーダーにて４５０ｎｍの吸光度を測定した。複数のハイブリドーマについて前記のスクリーニングを２回実施し、特に高い吸光度を示す４種のハイブリドーマＡ〜Ｄを選出した。【００６３】
［実施例１−３］モノクローナル抗体のエピトープ解析（ＥＬＩＳＡ）
ジカウイルスＮＳ１タンパク質のリコンビナント抗原を調製し、前記４種のハイブリドーマＡ〜Ｄより産生される４種のモノクローナル抗体（抗体Ａ〜抗体Ｄ）について、ＥＬＩＳＡを用いて各ペプチドとの親和性を調査した。リコンビナント抗原は、次の方法で調製した。３５２アミノ酸からなるジカウイルスＮＳ１（配列番号１、ＧｅｎＢａｎｋ  Ａｃｃｅｓｓｉｏｎ  Ｎｏ．：ＫＵ３６５７８０）の全長ｃＤＮＡを人工合成し、ＰＣＲ法により所望のＤＮＡ断片を増幅した。全長ｃＤＮＡ及び各ＤＮＡ断片を公知の発現ベクターに組込んで大腸菌に導入し、発現したリコンビナント抗原をカラムにて回収・精製した。この方法により、リコンビナント抗原として、配列番号１の１−１７６番目、８３−１４１番目、８９−２６４番目、２６０−３５２番目、２６０−３１０番目、２８０−３５２番目及び３００−３５２番目のアミノ酸配列からなるリコンビナントペプチド断片、及び配列番号１の全長からなるリコンビナントＮＳ１タンパク質を調製した。【００６４】
各ペプチド断片及びリコンビナント抗原について、ＰＢＳで希釈して２μｇ／ｍＬの溶液を調製し、９６穴マイクロウェルプレートに５０μＬずつ分注した。３７℃で１時間コーティングさせた後、２％ＢＳＡ／ＰＢＳを１５０μＬ／ウェル加え、４℃で一晩ブロッキングした。ＰＢＳＴで洗浄し、次いで、抗体Ａ〜Ｄを希釈液Ａ（５％牛血清、１％ＢＳＡ、０．１％カゼインナトリウム、１００μｇ／ｍＬマウスイムノグロブリンを含むＰＢＳ）で２．５μｇ／ｍＬに調製し、各５０μＬ／ウェル分注し、３７℃で１時間反応させた。ＰＢＳＴで洗浄後、アルカリホスファターゼ標識抗マウスＩｇＧ抗体を５０μＬ／ウェル分注し、３７℃で１時間反応させた。ＰＢＳＴで洗浄後、ＡＭＰＰＤ溶液（ルミパルス（登録商標）基質液（富士レビオ社製）を５０μＬ／ウェル分注して３７℃で５分間発光させ、マイクロプレートリーダーにて発光量を測定した。結果を表１に示す。表１において、リコンビナント抗原の各数字は配列番号１におけるアミノ酸番号（領域）を示す。【００６５】
【表１】
2019039557.tif 000002
【００６６】
表１の結果より、抗体Ａ〜Ｄのエピトープは、配列番号１の表２に示す領域と推察された。抗体Ａは、２６０−３５２番目のアミノ酸配列からなるペプチド断片には反応するが、２６０−３１０、３００−３５２番目のアミノ酸配列からなるペプチド断片には反応しないこと、抗体Ｃ及びＤは、２６０−３５２番目のアミノ酸配列からなるペプチド断片及び２８０−３５２番目のアミノ酸配列からなるペプチド断片には反応するが、２６０−３１０、３００−３５２番目のアミノ酸配列からなるペプチド断片には反応しないことから、いずれも、コンフォメーションエピトープを認識する抗体であることが推察された。【００６７】
【表２】
2019039557.tif 000003
【００６８】
［実施例１−４］サンドイッチＥＬＩＳＡによるジカウイルス検出
抗体Ａ〜Ｄを固相化した９６穴マイクロウェルプレートと、抗体Ａ〜Ｄをビオチン標識した標識抗体をそれぞれ組み合わせたサンドイッチＥＬＩＳＡにより、ジカウイルス（アフリカ株（ＡＦ）・アジア株（ＢＲ）各１株）及びデングウイルス（ＤＶ）１株のリコンビナントＮＳ１の検出を行った。ＡＦは、実施例１−１に記載のものを使用した。ＢＲ（＃ＺＮＳ１１８−Ｒ−１００）はＡｌｐｈａ  ｄｉａｇｎｏｓｔｉｃｓ  Ｉｎｔｅｒｎａｔｉｏｎａｌ社より購入し、ＤＶ（＃ＰＩＰ０４７Ａ）はＢｉｏ−Ｒａｄ  Ｌａｂｏｒａｔｏｒｉｅｓ社より購入した。各リコンビナント抗原を希釈液Ｂ（５０ｍＭ  Ｔｒｉｓ、１５０ｍＭ  塩化ナトリウム、０．１％  Ｔｒｉｔｏｎ  Ｘ−１００、ｐＨ８．０）で希釈し、５ｎｇ／ｍＬのＡＦ抗原溶液、５ｎｇ／ｍＬのＢＲ抗原溶液、及び５００ｎｇ／ｍＬのＤＶ抗原溶液を調製した。【００６９】
抗体Ａ〜ＤをそれぞれＰＢＳで希釈し、１０μｇ／ｍＬの溶液を調製した。これを９６穴マイクロウェルプレートに１００μＬずつ分注し、３７℃で１時間コーティングさせた。次いで、２％ＢＳＡ・ＰＢＳ溶液を２５０μＬ／ウェル分注し、４℃で一晩ブロッキングした。これをＰＢＳＴで洗浄して、各抗体の固相化プレートを調製した。【００７０】
前記抗体固相化プレートに、前記のＡＦ抗原溶液、ＢＲ抗原溶液及びＤＶ抗原溶液をそれぞれ１００μＬ／ウェル分注し、３７℃で３０分間反応させた。ＰＢＳＴで洗浄後、ビオチンで標識した抗体Ａ〜Ｄ（０．０５μｇ／ｍＬ希釈液Ｂ）を１００μＬ／ウェル分注し、３７℃で１時間反応させた。ＰＢＳＴで洗浄後、希釈液で１００００倍希釈したアルカリホスファターゼ標識ストレプトアビジン（＃ＧＴＸ３０９５４、ジェネンテック社製）溶液を１００μＬ／ウェル分注し、３７℃で１時間反応させた。ＰＢＳＴで洗浄後、ＡＭＰＰＤ基質液（ルミパルス（登録商標）基質液（富士レビオ社製））を１００μＬ／ウェル分注して１０分間発光させ、マイクロプレートリーダーにて発光量を測定した。各ウェルの発光量の値（Ｓ）を、同条件でブランク（希釈液Ｂのみ）を測定した発光量の値（Ｎ）で除して、Ｓ／Ｎ比を求めた。固相化プレートの作製に用いた抗体（固相抗体）とビオチンで標識した抗体（標識抗体）と抗原との各組み合わせ条件（表３の試験例１〜１６）でのＳ／Ｎ比を表３に示す。【００７１】
【表３】
2019039557.tif 000004
【００７２】
試験例１２においてのみ、１００倍濃度のデングウイルス抗原検出時に「＋」となったが、他の試験例ではいずれも「−」となった。試験例１２についても、ジカウイルス感染判定のカットオフをＳ／Ｎ比１５．０以上とすることで、デングウイルスの交差反応の影響を回避できると考えられる。ジカウイルスの検出において、ＡＦ、ＢＲの両方について検出可能であったのは、試験例２、５、７、８、１０〜１２及び１５であった。ジカウイルス感染判定のカットオフをＳ／Ｎ比３．０以上とした表３では試験例１、６、１３の結果がいずれも「−」となったが、下記のイムノクロマトグラフィーによるジカウイルス検出結果でも示されるように、少なくともＢＲについてはいずれの試験例でも検出可能であった。【００７３】
［実施例１−５］イムノクロマトグラフィーによるジカウイルス検出
図１に示すように、巾５ｍｍ、長さ５０ｍｍのニトロセルロース膜のマトリクス２の展開液吸収ゾーン５側の末端から１５ｍｍの位置に抗体Ａ〜Ｄのいずれかを含む水溶液０．７μＬをニトロセルロース膜に点着し乾燥させ、検出ゾーン６を作製した。さらに２の展開液吸収ゾーン５側の末端から１２ｍｍの位置に抗アルカリホスファターゼ（ＡＬＰ）抗体溶液を点着し乾燥させ、展開確認部１０を作製した。次いで、抗体Ａ〜ＤのいずれかをＡＬＰ標識した標識抗体溶液５μＬを点着し乾燥させ、酵素標識試薬パッド４からなる標識試薬ゾーンを作製した。【００７４】
展開液パッド３は、巾６ｍｍ、長さ２０ｍｍのろ紙上に、基質として５−ブロモ−４−クロロ−３−インドリル−リン酸二ナトリウム塩（ＢＣＩＰ）溶液５μＬをライン状に点着して乾燥させて基質ゾーン７を作製して調製した。前記マトリクス２、展開液パッド３、酵素標識試薬パッド４及び吸収パッド５（高保水性ろ紙）を、展開液槽１１を有するプラスチックケースに固定して、図２及び図３に示すジカウイルス検出器具１を製造した。【００７５】
製造したジカウイルス検出器具１（イムノクロマト）を使用して、ジカウイルス、デングウイルスへの反応性を試験した。ＡＦ抗原、ＢＲ抗原、ＤＶ抗原は実施例１−４と同じものを使用し、これを希釈液Ｃ（１００ｍＭ  Ｔｒｉｓ、１５０ｍＭ  塩化ナトリウム、０．０９５％  アジ化ナトリウム、３％  ＢＳＡ、１％  ニューポール、ｐＨ８．０）で希釈して５ｎｇ／ｍＬのＡＦ抗原溶液、５ｎｇ／ｍＬのＢＲ抗原溶液、及び２００ｎｇ／ｍＬのＤＶ抗原溶液を調製した。各抗原溶液２５μＬを検体ゾーン８に滴下した後、変形部材に設けた押し込み部１２を下方に加圧して変形させて、変形部材に付設された突起部１３によって展開液パッド３を展開液槽１１に挿入して展開液を展開液パッド３に供給して測定を開始した。測定開始１５分後、展開確認部１０の発色によって展開液の展開を確認した後、検出ゾーン６の発色を目視で測定した。検出ゾーン６の作製に用いた抗体（固相抗体）とＡＬＰで標識した抗体（標識抗体）と抗原との各組み合わせ条件（表４の試験例１〜１６）における検出結果を表４に示す。【００７６】
【表４】
2019039557.tif 000005
【００７７】
いずれの条件においても、ＤＶ抗原では「−」判定となった。ジカウイルスの検出において、ＡＦ、ＢＲの両方について検出可能であったのは、試験例２、５、７、８、１０、１２、１４、及び１５であった。【００７８】
［実施例１−６］ＣＬＥＩＡによるジカウイルス検出
以下の方法で抗体Ｃ又はＤを単独で、あるいは抗体Ｂ、Ｃ及びＤのうち２種を組み合わせて磁性粒子（平均粒径３μｍ）に固相化させ、５種の抗ジカウイルス抗体固相化粒子を調製した。すなわち、まず、１０ｍＭ  ＭＥＳ緩衝液（ｐＨ５．０）中で磁性粒子０．０１ｇ／ｍＬに、抗体Ｃ、抗体Ｄ、又は抗体Ｂ、Ｃ及びＤのうち２種を等量組み合わせた混合抗体を、それぞれ、計０．２ｍｇ／Ｌ添加し、２５℃で１時間ゆるやかに撹拌しながらインキュベートした。反応後、磁性粒子を磁石で集磁し、洗浄液（５０ｍＭ  Ｔｒｉｓ、１５０ｍＭ  ＮａＣｌ、２．０％  ＢＳＡ、ｐＨ７．０）で洗浄し、抗ジカウイルス抗体固相化粒子を得た。５種の抗ジカウイルス抗体固相化粒子をそれぞれ粒子希釈液（５０ｍＭ  Ｔｒｉｓ、１５０ｍＭ  ＮａＣｌ、１ｍＭ  ＥＤＴＡ、０．５％  ＢＳＡ、０．５％  Ｔｗｅｅｎ  ４０、ｐＨ７．２）で０．０４％に懸濁し、各種粒子液を調製した。【００７９】
一方、抗体Ｂ、Ｃ又はＤを単独で、あるいはこれらのうち２種を等量組み合わせた混合抗体をアルカリホスファターゼ（ＡＬＰ）でそれぞれ標識し、５種の標識体を調製し、標識体希釈液（１．０ｍＭ  ＭｇＣｌ２、０．３ｍＭ  ＺｎＣｌ２、１５０ｍＭ  ＮａＣｌ、０．５％  ＢＳＡ、０．５％  Ｔｗｅｅｎ  ８０、ｐＨ６．８）で０．４μｇ／ｍＬに希釈し、各種標識体液を調製した。【００８０】
ＡＦ抗原、ＢＲ抗原は実施例１−４と同じものを使用し、ルミパルス（登録商標）用検体希釈液（富士レビオ社製）で希釈し、１０、５０、１００、１０００ｐｇ／ｍＬのＡＦ抗原溶液、１０、５０、１００、１０００ｐｇ／ｍＬのＢＲ抗原溶液を調製した。【００８１】
各抗原溶液について、上記の各種粒子液、各種標識体液を用いて、自動分析器ルミパルス（登録商標）Ｌ２４００(富士レビオ社製)によるジカウイルス検出を行った。各抗原溶液５０μＬを粒子液と混合し、３７℃で８分間反応させた。粒子を集磁してルミパルス（登録商標）洗浄液(富士レビオ社製)で洗浄し、標識体液５０μＬを添加して懸濁させ、３７℃で８分間反応させた。再度、粒子を集磁してルミパルス（登録商標）洗浄液で洗浄し、未反応の標識体を除去した後、ルミパルス（登録商標）基質液（富士レビオ社製）を２００μＬ添加し、３７℃で４分間発光させ、発光量を測定した。表５に、抗ジカウイルス抗体固相化粒子の作製に用いた抗体（粒子抗体）とＡＬＰで標識した抗体（標識抗体）と抗原との各組み合わせ条件（表５の試験例１〜９）での実測値（カウント）からブランク値を減じた値を示す。表５中の試験例１〜９に示す条件においては、ＡＦ抗原、ＢＲ抗原ともに１０ｐｇ／ｍＬの濃度まで十分に検出可能であった。【００８２】
【表５】
2019039557.tif 000006
【産業上の利用可能性】
【００８３】
以上説明したように、本発明によれば、ジカウイルスを、特異的かつ簡便・迅速に、高感度で検出することが可能となる。ジカウイルスは、ジカウイルス感染症（ジカ熱）の原因となるウイルスであることから、本発明は、研究上の利用にとどまらず、ジカウイルスによる疾患の診断においても大きく貢献し得るものである。
【符号の説明】
【００８４】
１…検出器具、２…マトリクス、３…展開液パッド、４…酵素標識試薬パッド、５…吸収パッド、６…検出ゾーン、７…基質ゾーン、８…検体ゾーン、９…検体、１０…展開確認部、１１…展開液槽、１２…押し込み部、１３…突起部
【図１】
2019039557.tif 000007
【図２】
2019039557.tif 000008
【図３】
2019039557.tif 000009
【配列表】
2019039557000001.app
【国際調査報告】
2019039557.tif 000010
2019039557.tif 000011
2019039557.tif 000012
2019039557.tif 000013